(57)【要約】      （修正有）【課題】装置の内部を効果的に遮蔽でき、堅牢で耐久性の高い監視カメラ装置の配置構成を提供する。【解決手段】監視カメラ装置１００は、カメラヘッド１０６と、開口部２０４、２０６を有する内部をカバーする筐体２０２と、開口部の一部を遮蔽するために筐体に対して移動可能に配置されたシールド２０８とを有する。シールドは相互に移動可能に配置された第１のシールド部と第２のシールド部とを備え、第１のシールド部を第２のシールド部に対して移動させることによって、圧縮された状態と伸長された状態とに操作できる。【選択図】図２
2016082585.tif 000002
【特許請求の範囲】
【請求項１】
移動範囲（ＭＲ１、ＭＲ２）内で移動可能なカメラヘッド（１０６）を有する監視カメラ装置（１００）の配置構成（２００）であって、
前記移動範囲（ＭＲ１、ＭＲ２）内の任意のカメラヘッド位置において自由な視線を提供する前記カメラヘッド（１０６）の開口部（２０４、２０６）を有する、前記監視カメラ装置（１００）の内部をカバーするための筐体（２０２）と、
前記任意のカメラヘッド位置において自由な視線を提供するためには使用されない前記開口部（２０４、２０６）の一部を遮蔽するために、前記筐体（２０２）に対して移動可能に配置されたシールド（２０８）であって、相互に移動可能に配置された第１のシールド部（３０２）と第２のシールド部（３０４）とを備え、前記第１のシールド部（３０２）を前記第２のシールド部（３０８）に対して移動させることによって、圧縮された状態（３０６）と伸長された状態（３０８）との間で操作可能であるシールド（２０８）と
を含む配置構成。
【請求項２】
前記シールド（２０８）の前記第１のシールド部（３０４）は、前記カメラヘッド（１０６）の前記移動範囲（ＭＲ１）に対応する範囲において移動可能な開孔（３１０）であって、前記開孔（３１０）を前記任意のカメラヘッド位置における自由な視線に合わせて位置調整するために、前記シールド（２０８）の移動によって第１の端部位置（３１２）と第２の端部位置（３１４）によって画定される前記開孔（３１０）を備える、請求項１に記載の配置構成。
【請求項３】
前記シールド（２０８）は、前記シールド（２０８）の前記第１のシールド部（３０２）の前記開孔（３１０）が、前記任意のカメラヘッド位置の自由な視線に合わせた位置調整に応じて、前記シールド（２０８）を前記圧縮された状態（３０６）から、前記伸長された状態（３０８）へ又は前記伸長された状態（３０８）に向かって操作可能である、請求項２に記載の配置構成。
【請求項４】
前記シールド（２０８）は、前記第１の端部位置（３１２）から前記第２の端部位置（３１４）まで前記開孔（３１０）を移動させる間に、前記伸長された状態（３０６）へ操作可能である、請求項２又は３に記載の配置構成。
【請求項５】
前記シールド（２０８）が前記伸長された状態（３０８）になるように、前記第１の端部位置（３１２）から前記第２の端部位置（３１４）に向かって前記開孔（３１０）を移動させる間に、前記第１のシールド部（３０２）と前記第２のシールド部（３０４）との間の相対移動をもたらすように配置されたばね部材（３１６）を更に備える、請求項４に記載の配置構成。
【請求項６】
前記ばね部材（３１６）は、前記開孔（３１０）が前記第２の端部位置（３１４）に到達する前に、前記シールド（２０８）の前記伸長された状態（３０８）が確立されるように、前記第１の端部位置（３１２）から前記第２の端部位置（３１４）までの前記開孔（３１０）の移動の初期範囲部分の間に、前記第１のシールド部（３０２）と前記第２のシールド部（３０４）との間に相対移動をもたらすように配置されている、請求項５に記載の配置構成。
【請求項７】
前記第１の端部位置（３１２）と前記第２の端部位置（３１４）によって画定される前記範囲は、０から９０度、好ましくは１５から７５度の前記カメラヘッド（３０６）の移動範囲（ＭＲ１）に対応する、請求項２から６のいずれか一項に記載の配置構成。
【請求項８】
前記シールド（２０８）は前記筐体（２０２）に旋回可能に装着されている、請求項１から７のいずれか一項に記載の配置構成。
【請求項９】
前記シールド（２０８）及び／又は前記筐体（２０２）は不透明である、請求項１から８のいずれか一項に記載の配置構成。
【請求項１０】
前記第１のシールド部（３０２）と前記第２のシールド部（３０４）は、前記シールド（２０８）の前記圧縮された状態（３０６）において重なり合っている、請求項１から９のいずれか一項に記載の配置構成。
【請求項１１】
前記第２のシールド部（３０４）は、圧縮された状態（３０６）にある前記シールド（２０８）が連続的な外側エンベロープ表面（３３１）を形成し、且つ切抜き部（３３０）と、前記シールド（２０８）の前記第１のシールド部（３０２）の前記開孔（３１０）とによって共通の開孔が画定されるように配置された前記切抜き部（３３０）を備える、請求項１０に記載の配置構成。
【請求項１２】
第１のシールド部（３０２）と第２のシールド部（３０４）は、第１のシールド部（３０２）と第２のシールド部（３０４）の間が旋回可能に接続されるように、ジョイント（３１８）の手段によって互いに移動可能に配置されている、請求項１から１１のいずれか一項に記載の配置構成。
【請求項１３】
前記ジョイント（３１８）は、前記シールド（２０８）の前記伸長された状態（３０８）に対応する前記第１のシールド部（３０２）と前記第２のシールド部（３０４）の間の旋回可能な接続の最大旋回角度を画定する旋回停止部（３２４）を含む、請求項１２に記載の配置構成。
【請求項１４】
関連付けされた移動範囲（ＭＲ１、ＭＲ２）内で各々移動可能な複数のカメラヘッド（１０６）を更に含み、前記筐体（２０２）は更に、各カメラヘッド（１０６）の前記移動範囲（ＭＲ１、ＭＲ２）内で関連付けされたカメラヘッド（１０６）の各任意のカメラヘッド位置に対して自由な視線が得られるように、前記複数のカメラヘッド（１０６）各々に開口部（２０４、２０６）を備え、前記シールド（２０８）の前記第１のシールド部（３０２）は複数の開孔（３１０）を備え、各開孔（３１０）は、前記関連付けされたカメラヘッド（１０６）の任意のカメラヘッド位置各々に対する自由な視線に合わせて位置調整可能である、請求項１から１３のいずれか一項に記載の配置構成。
【請求項１５】
請求項１から１４のいずれか一項に記載の配置構成（２００）を含む監視カメラ装置（１００）。
【発明の詳細な説明】
【技術分野】
【０００１】
本発明は、監視カメラ装置の配置構成、及び上記配置構成を含む監視カメラ装置に関する。
【背景技術】
【０００２】
ネットワークカメラ装置等の監視カメラ装置を多数の異なる状況、屋内及び屋外において使用して、現場を監視することができる。監視カメラ装置は多くの場合、カメラヘッドを備え、カメラヘッドは、監視カメラ装置の設置中の調節のために、移動範囲内で移動可能である。これにより、監視カメラ装置の現場における監視が望ましいものになるように、カメラヘッドを設置し位置調整することが簡単になる。カメラヘッドは、監視カメラの動作中に、移動範囲内で追加的に、又は代替的に移動可能であってよい。これにより、監視カメラ装置のカメラヘッドの視線を監視中に調節することができ、したがって、現場での監視を変更することができることが利点である。監視カメラ装置は更に、現場をより広く監視することができるように、又は各カメラヘッドによって現場の異なる部分を監視することができるように、複数の移動可能なカメラヘッドを備えうる。
【０００３】
多くの場合、筐体によって監視カメラ装置の内部を保護することにより、監視カメラ装置の堅牢性と耐久性を上げることが望ましい。しかしながら、筐体が監視カメラ装置の監視を妨げないように又は邪魔しないようにすべきであるため、筐体の設計は複雑な作業である。筐体は更に、監視カメラ装置のカメラヘッド（複数可）の移動性能を妨害するべきではない。
【０００４】
筐体は更に、監視カメラ装置の中を見ることを少なくとも部分的に妨げるように配置されうる。これは例えば、監視カメラ装置を見ている人が、カメラヘッドがどの方向に向いているかを検知することを阻む、又は少なくともより検知しづらい状態にすることが利点になる調査状況において望ましい。目に見えるカメラヘッドがどこに向いているかを検知する現場の人に係る問題は、これを自覚することにより目に見えるカメラヘッドの監視の外へ移動することに基づいており、したがってこれを防止する又は少なくとも緩和することができる。目に見えるカメラヘッドによって監視されていると感じることから生じる現場の人の不快感を更に軽減することができる。したがって、監視カメラ装置の内部を見ることを妨げることによって、より効果的で目立たない監視カメラを得ることができる。
【０００５】
この目的を達成するために、ＵＳ３９９３８６６Ａは、カメラを封入するハウジングを開示している。ハウジングは更に、カメラが実質的にハウジングの外から見えないようにコーティングされた透明カバーを備える。
【０００６】
あるいは、ＵＳ６３５４７４９Ｂ１には、パンチルト機構を収納する上方ハウジングを有する調査カメラ用のハウジングが記載されている。カメラはパンチルト機構によって担持され、下方の透明ハウジングの中へ延在する。内張り材が下方ハウジング内に設けられており、カメラを保護するためにカメラをカバーする。内張り材は、カメラレンズが下方ハウジングを通して画像を捕えることができるように、スロット以外のカメラをカバーする。シールドはカメラと共に移動するようにカメラに固定され、内張り材のスロットをカバーし、このシールドによりカメラレンズの一開口部が画定される。内張り材とシールドの色は、カメラレンズの位置が見えないように暗くなっている。
【０００７】
更に、ＵＳ５７６５０４３Ａには、外部の目的対象物に継続的に向けられるように適合された装置を収納し保護するための筐体が開示されている。筐体は、装置の移動に応じて互いに対して移動可能な内側及び外側の窓部分を含む。外側の窓は、装置のチルト回転に応じて、いつでも対象物への視線が得られるように、細長くなっており、装置のチルト軸周囲に配向される。内側の窓はより小さく、外側の窓の横方向に延在する。外側の筐体部又はドームが内側の筐体部又はドームの上にかかるため、内側の窓の位置が外側の窓と合っている時以外は、対象物への視線が妨げられる。こうすれば、比較的小さい開口部でクリアな視線が得られる。
【０００８】
ＵＳ  ２００５／０１８０７４  Ａ１では更に、カメラとカメラアクチュエータを外部環境から保護することができる能動的カメラ装置及びロボット装置が開示されている。
【０００９】
これは、開口部を有するボールシェル型の外側本体を供給することによって達成される。カメラは外側本体に位置づけされ、開口部を通して外側本体の外側から画像を受け取る。カメラ支持ユニットは外側本体に位置づけされ、外側本体の中央で相互に交差した第１の軸と第２の軸に沿ってカメラを回転可能に支持する。
【００１０】
しかしながら、特に、監視カメラ装置が可動カメラヘッドを備える場合に、監視カメラ装置の内側の保護を更に改善し、内側を見ることを妨げる必要がある。
【発明の概要】
【００１１】
本発明の目的は、監視カメラ装置の保護及び／又は遮蔽が改善されるように、改善されたカバーを提供することである。本発明の第１の態様によれば、以下の説明から明らかになるこの目的及び他の目的は、移動範囲内で移動可能なカメラヘッドを有する監視カメラの配置構成を提供することによって達成される。配置構成は、移動範囲内の任意のカメラヘッド位置において自由な視線を提供するカメラヘッド用の開口部を有する、監視カメラ装置の内部をカバーするための筐体と、任意のカメラヘッド位置において自由な視線を提供するために使用されない開口部の一部を遮蔽するために、筐体に対して可動に配置されたシールドであって、相互に移動可能に配置された第１のシールド部と第２のシールド部とを備え、第１のシールド部を第２のシールド部に対して移動させることによって、圧縮された状態と伸長された状態との間で操作可能であるシールドとを含む。
【００１２】
筐体に対して移動可能に配置されたシールドによって、カメラヘッドにおいて自由な視線を提供しながら、監視カメラ装置の内部を効果的にカバーすることができる。より堅牢で耐久性の高い監視カメラ装置がをこれにより得ることができる。
【００１３】
シールドと筐体は更に、カメラの中を見ることを阻止することができる。これにより、ドームの窓等の透明カバーの使用が可能になる。従って、例えば、反射する又は半透明のカバーの場合に起こるようなカバーによる散乱、屈折及び／又は反射なしに、現場からの光がより多く監視カメラのカメラヘッドに到達しうると、監視カメラ装置の光学的品質が改善される。よりクリアな現場の画像を更に得ることができる。
【００１４】
筐体の開口部は、カメラヘッドの大きさよりも大きくてよく、これにより移動範囲内でカメラヘッドの非摂動的な移動が可能になる。
【００１５】
異なる直径を有するカメラヘッドが同じ筐体によって使用されうる場合、より汎用性のある筐体が提供される。言い換えると、この開口部により、直径が開口部の最小幅よりも小さい限り、異なる直径を有するカメラヘッドを使用する可能性が得られる。従って、配置構成を含む監視カメラ装置により、設置の簡略化、及びより効果的な現場監視を得ることができる。
【００１６】
シールドを圧縮状態と伸長された状態との間で操作可能になるように、相互に移動可能に配置された第１のシールド部及び第２のシールド部によって、コンパクトな配置構成が可能になることが別の利点である。監視カメラ装置の内部をカバーするためのシンプルな配置構成も得られる。従って、配置構成により、監視カメラ装置にダメージを与えうる打撃等の外力から監視カメラ装置の内部が保護される。
【００１７】
監視カメラ装置の外側から監視カメラ装置の内部を見ることを、更に効果的に妨げることができる。
【００１８】
カメラヘッドの基部、及び／又は監視カメラ装置の制御電子回路等の構成要素と接触する、又はそうでなければ緩衝する可動シールドに係る問題が更に軽減される。
【００１９】
シールドの第１のシールド部は、開孔を、任意のカメラヘッド位置における自由な視線に合わせて位置調整するために、カメラヘッドの移動範囲に対応する範囲で可動であり、シールドの移動によって第１及び第２の端部位置によって画定される開孔を備えうる。
【００２０】
開孔が、カメラヘッドの大きさに対応する大きさを有しうることが利点である。つまり、遮蔽物の輪郭が、カメラヘッドの外縁に密接に従いうる効果的な遮蔽物が得られる。従って、カメラヘッドに隣接して形成される隙間を回避し、開口部の遮蔽を改善することができ、これにより、監視カメラの内部がより深くカバーされうる。監視カメラ装置の内部はシールドによってより良好に保護される。シールドにより更に、監視カメラ装置の中を見ることをより効果的に妨げることができる。
【００２１】
シールドの第１のシールド部の開孔が、任意のカメラヘッド位置における自由な視線に合わせた位置調整に応じて、シールドを圧縮された状態から、伸長された状態へ、又は伸長された状態に向かって操作可能であってよい。
【００２２】
シールドは従って、監視カメラ装置の内部を効果的にカバーすることができるように、カメラヘッドの移動に従いうる。監視カメラ装置の内部を監視カメラ装置の外側から見ることが、更に効果的に妨げられうる。圧縮された状態から、伸長された状態へ、又は伸長された状態に向かって操作可能であることにより、カメラヘッドの移動範囲内における任意のカメラヘッド位置で、監視カメラ装置の内部をカバーする、シンプルでコンパクトな配置構成が得られる。カメラヘッドの移動が可能であることで更に、監視カメラ装置がより効果的に、また柔軟に現場を監視することが可能になる。
【００２３】
シールドは、第１の端部位置から第２の端部位置まで開孔が移動中に、伸長された状態へ操作可能でありうる。
【００２４】
これにより、シールドのコンパクトな設計が可能になり、監視カメラ装置の内部のカバーにおける隙間の形成が防止される。監視カメラ装置内に配置されたシールド及び構成要素との間の接触又は干渉に係る問題は従って、さらに軽減されうる。これにより監視カメラ内部の設計上の制約が減り、例えば、監視カメラ内の構成要素を、監視カメラ装置の中央から更に離れるように配置することができる。監視カメラ装置の内部のカバーに形成される隙間を防止することにより、監視カメラ装置の内部を見ることが更に防止されうる。
【００２５】
配置構成は更に、シールドが伸長された状態になるように、第１の端部位置から第２の端部位置に向かって開孔を移動中に、第１及び第２のシールド部の間で相対移動が起こるように配置されたばね部材を含みうる。
【００２６】
これにより、よりコンパクトなシールドを実現することができる。筐体とシールドとの間に隙間が形成されることが防止される。つまり、ばね部材によって引き起こされた、第１のシールド部と第２のシールド部との間の相対移動により、第２のシールド部が第１のシールド部を越えて延び、監視カメラ装置の内部がシールドによってカバーされる。監視カメラ装置の内部が従って、打撃から生じうる外力から保護されうる。筐体の開口部は更に、配置構成によって、監視カメラ装置の外側から内部を見ることが妨げられるように、効果的に遮蔽されうる。
【００２７】
ばね部材は、開孔が第２の端部位置に到達する前にシールドの伸長された状態が確立されるように、第１の端部位置から第２の端部位置まで開孔が移動する初期範囲部分において、第１及び第２のシールド部の間で相対移動が起きるように配置されうる。
【００２８】
これにより、筐体とシールドとの間の隙間の形成が更に低減されることが利点である。
【００２９】
第１及び第２の端部位置によって画定される範囲は、０〜９０度、好ましくは１５〜７５度のカメラヘッドの移動範囲に対応しうる。
【００３０】
シールドは、筐体に旋回可能に装着することができ、これにより、シールドが筐体に対して移動することが可能になる。
【００３１】
シールド及び／又は筐体は不透明であってよく、これにより、監視カメラ装置の内部を見ることが防止される。これにより、監視カメラ装置を見ている人が、カメラのヘッドがどちらに向いているかを検知することがさらに困難になりうる。カメラを見ている人が、監視カメラ装置によって観察されていると感じて困惑することが更に軽減されうる。このため、より目立たない監視カメラ装置が提供される。
【００３２】
第１の及び第２のシールド部は、シールドが圧縮された状態において重なり合っていてよい。
【００３３】
従って、監視カメラ装置の内部の中での移動に必要な空間が小さい、よりコンパクトなシールドが得られる。重なり合うことにより、より堅牢で耐久性のあるシールドが更に提供される。
【００３４】
第２のシールド部は、圧縮された状態のシールドが連続的な外側筐体の表面を形成するように配置された切抜き部を備えることができ、共通の開孔は、切抜き部と、シールドの第１のシールド部の開孔によって画定される。これにより、圧縮された状態において、第１及び第２のシールド部の間の更に重なり合って、シールドがよりコンパクトになりうる。
【００３５】
第１及び第２のシールド部は、ジョイントの手段によって相互に移動可能に配置することができ、第１及び第２のシールド部の間が旋回可能に接続される。従って、第１及び第２のシールド部の間での効果的な相対移動が実現されうる。
【００３６】
ジョイントは、シールドの伸長された状態に対応する第１のシールド部と第２のシールド部の間の旋回可能な接続部の最大旋回角度を画定する旋回停止部を含みうる。第１のシールドと第２のシールドとの間の隙間が従って、防止されうる。
【００３７】
配置構成は更に、関連付けされた移動範囲内で各々移動可能な複数のカメラヘッドを更に含み、筐体は更に、各カメラヘッドの前記移動範囲内で関連付けされたカメラヘッドの各任意のカメラヘッド位置に対して自由な視線が得られるように、複数のカメラヘッド各々に開口部を備え、シールドの第１のシールド部は複数の開孔を備え、各開孔は、関連付けされたカメラヘッドの任意のカメラヘッド位置各々に対する自由な視線に合わせて位置調整されている。
【００３８】
従って、現場のより大きい範囲を監視することができ、現場の異なる部分を、各カメラヘッドによって監視することができる。複数の現場の光景を監視カメラ装置によって監視することができ、これにより、現場の更に詳細な光景を現場から得ることができる。
【００３９】
本発明の第２の態様によれば、上述した配置構成を含む監視カメラ装置が提供される。
【００４０】
監視カメラ装置の機能及び利点は、配置構成に関して上述されている。上述した特徴は、適用できる場合には、この第２の態様にも適用される。
【００４１】
本発明は、特許請求の範囲に記載されたすべての可能な特徴の組み合わせに関連することが留意される。
【００４２】
本発明のこれらの態様及び他の態様を、本発明の実施形態を示す添付の図面を参照しながら、更に詳細にここで説明する。
【００４３】
図面に示すように、層と領域のサイズは図示目的のために拡大し、本発明の実施形態の一般構造を示すために提供される。類似の参照番号は、全体を通して類似の要素を指す。
【図面の簡単な説明】
【００４４】
【図１】監視カメラ装置を示す図である。
【図２】本発明の一実施形態による監視カメラ装置の配置構成２００を更に含む、図１の監視カメラ装置を示す図である。
【図３ａ】本発明の一実施形態による、図２の配置構成の拡大図と組立概略側面図である。
【図３ｂ】本発明の一実施形態による、図２の配置構成の拡大図と組立概略側面図である。
【発明を実施するための形態】
【００４５】
これより、本発明の現在好ましい実施形態を示す添付図面を参照して、本発明を以下により詳細に説明する。しかしながら本発明は多くの異なる形態で実施されることができ、本明細書で説明される実施形態に限定されるものと解釈されるべきではなく、これらの実施形態はむしろ、本開示が包括的で完全となるように提供されており、当業者に本発明の範囲を十分に伝えるためのものである。
【００４６】
図１に、（点線で示す）ドーム窓１０２、装着基部１０４、及び複数のカメラヘッド１０６を備える監視カメラ装置１００を示す。
【００４７】
図１に示す実施形態による監視カメラ装置１００を、明確にするために、筐体とシールドを含む本発明の配置構成なしで示す。図２及び３ａ〜３ｂを参照しながら、配置構成を以下に詳細に説明する。
【００４８】
図１に示す実施形態によれば、監視カメラ装置１００は３つのカメラヘッド１０６を備えるネットワークカメラ装置である。カメラヘッド１０６の視野は、空間的に分離しているか、又は重なり合っていてよい。複数のカメラヘッド１０６は従って、単一のカメラヘッドの使用と比べて、監視カメラ装置１００の視野を広げうる。カメラヘッド１０６は、現場から画像又は画像ストリームを捕えるように配置される。カメラヘッド１０６は、別々に提示されうる、又は互いに縫い合わせられて提示されうる画像又は画像ストリームを提供するように配置されうる。カメラヘッド１０６は、移動範囲内で各々移動可能である。カメラヘッド１０６の移動範囲により、カメラヘッドが移動することができる範囲、すなわち角度範囲を設定される。異なるカメラの移動範囲の大きさは異なっていてよいが、同じであってもよい。カメラヘッド１０６は個別に移動することができる、又は一致して移動することができる。カメラヘッド１０６の移動は、例えば監視カメラ装置１００によって監視される現場（複数可）を調節するために、監視カメラ装置１００の設置中又は調節中に行うことができる。カメラヘッド１０６は更に、現場内の物体を例えば追うことができるように、監視カメラ装置１００の動作中に移動することができる。
【００４９】
ここで、装着基部１０４は円形断面を有し、監視カメラ装置１００の装着基部１０４の円形断面に対して実質的に垂直の軸周囲で回転可能であってよい。これにより、更に柔軟に装着基部１０４を装着することができる。装着基部１０４は更に、監視カメラ装置１００の視野が変動しうるように、監視カメラ装置１００が回転するように配置することができる。
【００５０】
他の実施形態によれば、装着基部１０４を、監視カメラ装置１００に対して固定することができる。
【００５１】
ドーム窓１０２は普通、透明なプラスチック材料等の透明な材料でできている。監視カメラ装置１００、具体的には監視カメラ装置１００のカメラヘッド１０６を外力から保護するために、ドーム窓１０２を、一定量の打撃又は衝突に耐えることができるほど十分に強い材料で作ることができる。
【００５２】
しかしながら、ドーム窓の透明性により、監視カメラ装置１００の内部が監視カメラ装置１００の外から見られるようになる。監視カメラ装置１００を見ている人がこれにより、目に見えるカメラヘッド１０６がどちらを向いているかを検知することができ、そのことから、現場のある場所が監視カメラ装置１００によって現在監視されているか否かの情報を得る可能性がある。従って、人が監視カメラ装置１００によって監視されることを避けるために、一又は複数のカメラヘッド１０６の視野の外へ移動しうるため、例えば調査用途における監視カメラ装置１００の効果が下がる。
【００５３】
監視カメラ装置１００を見ている人が監視カメラ装置１００の内部を見ることができる度合いにより更に、この人が目に見えるカメラヘッドによって監視されていると感じることが起こりうる。これにより、この人が不快になりうる。
【００５４】
カメラヘッド１０６を動かす制御電子回路１０８は例えば更に、注意が向けられうる監視カメラ装置の外から見ることができうる。制御電子回路１０８は更に、監視カメラ装置１００をより目立たせうる、発光ダイオード等の発光要素を備えうる。
【００５５】
図２に、配置構成２００を更に含む、図１による監視カメラ１００を示す。配置構成２００は、監視カメラ装置１００の内部をカバーするための筐体２０２を含む。筐体２０２は、カメラヘッド１０６の移動範囲ＭＲ１及びＭＲ２内で任意のカメラヘッド位置において自由な視線を得るための、カメラヘッド１０６の開口部２０４、２０６を有する。筐体２０２は、移動範囲ＭＲ２と並行して延在している２つのパーツ間でジョイントが形成されるように組み立てられる２つのパーツによって、形成されうる。筐体２０２の製造を簡略化することがこれにより実現しうる。
【００５６】
配置構成２００は更に、任意のカメラヘッド位置において自由な視線を得るのに使用しない開口部２０４、２０６のパーツが遮蔽されるように、筐体２０２に対して移動可能に配置されたシールド２０８を含む。配置構成２００はこれにより、監視カメラ装置１００の内部を保護し、更に堅牢で耐久性のある監視カメラ装置１００が提供される。
【００５７】
この実施形態によれば、筐体２０２とシールド２０８は、監視カメラ装置１００の内部を見ることが阻止されるように不透明である。監視カメラ装置１００の内部を見ることを妨げることによって、カメラヘッド１０６がどちらに向いているかを判断することが防止される、又は少なくともより困難になる。従って、上述したように、より効果的で目立たない監視カメラ装置１００が得られる。
【００５８】
この配置構成によるカメラヘッド１０６は更に、これらの視線の判断がより困難になるように、外側の突出端部に反射防止用のコーティングを含む。筐体２０２とシールド２０８は同じ材料である、及び／又は同じ外観を有することが好ましい。筐体２０２とシールド２０８の表面構造と色は同じであってよい。カメラヘッド１０６は、筐体２０２とシールド２０８と同じ外観を有しうる。
【００５９】
筐体２０２及び／又はシールド２０８は更に、ポリカーボネート／アクリロニトリル−ブタジエン−スチレン（ＰＣ／ＡＢＳ）熱可塑性混合物等のプラスチック材料でできていてよい。金属材料を使用することもできる。
【００６０】
図３ａ及び３ｂに、筐体２０２の開口部２０４を示す、監視カメラ装置１００の配置構成２００の概略側面図を示す。明確にするために、配置構成２００を、部分拡大図及び組立図の両方で示す。開口部２０４は、下方エッジ２０４ａと上方エッジ２０４ｂとを有する。第２の開口部２０６の下方エッジ２０６ａと上方エッジ２０６ｂも、明確にするために、図面に示す。
【００６１】
シールド２０８は更に、第１のシールド部３０２と、第２のシールド部３０４とを備える。第１のシールド部３０２と、第２のシールド部３０４は、第１のシールド部３０２を第２のシールド部３０４に対して移動させることによって、シールド２０８が圧縮された状態３０６（図３ａ参照）と、伸長された状態２０８（図３ｂ参照）との間で操作可能になるように、互いに移動可能に配置される。この実施形態によれば、第１のシールド部３０２と、第２のシールド部３０４は、第２のシールド部３０４が少なくとも圧縮された状態において、第１のシールド部３０２の外側に配置されるように、重なり合っている。
【００６２】
シールド２０８の第１のシールド部３０２は、カメラヘッドの移動範囲ＭＲ１に対応する範囲で可動である開孔３１０を備える。範囲は、第１の端部位置３１２と第２の端部位置３１４によって画定され、これらはそれぞれ、図３ａと３ｂに示される。開孔３１０がシールド２０８の動きに従い、その後、カメラヘッド（図２にのみ示す）の動きに従うことによって、任意のカメラヘッド位置における自由な視線が達成される。これにより、開孔３１０の周囲によって設定されるマスクの輪郭が、カメラヘッド１０６の周囲に密接に従いうることによって、開口部２０４を効果的に遮蔽し、監視カメラ装置１００の内部がカバーされる。従って、カメラヘッドに隣接する隙間の形成を避けることができ、監視カメラ装置１００の内部をより密接にカバーすることができる。筐体２０２とシールド２０８、すなわち第１のシールド部３０２と第２のシールド部３０４はこの実施形態において、不透明であり、このため、配置構成２００によって監視カメラ装置１００の中を見ることがより効果的に妨げられる。
【００６３】
図３ａと３ｂに更に、開孔が第１の端部位置３１２から第２の端部位置３１４まで移動する時に、圧縮された状態３０６から伸長された状態３０８までシールド２０８がどのように操作可能であるかを示す。完全を期すために、シールド２０８は、開孔３１０がシールド２０８の移動に応じて、第１の端部位置３１２と第２の端部位置３１４との間の任意の位置に位置決めされた時に、圧縮された状態３０６から伸長された状態へ、又は伸長された状態に向かって移動することを前置きしておきたい。シールド２０８の第１のシールド部３０２の開孔３１０の、任意のカメラヘッド位置における自由な視線との位置調整をこれにより行うことができる。
【００６４】
圧縮された状態３０６から伸長された状態３０８へ又は伸長された状態３０８に向かって操作可能であることで、移動範囲内で任意のカメラヘッド位置において、監視カメラ装置１００の内部をカバーする、シンプルでコンパクトな配置構成２００が提供される。開孔３１０の移動が途切れないため、カメラヘッド１０６が滑らかに移動しやすくなり、監視カメラ装置１００の内部をカバーしながら、監視カメラ装置１００による効果的で柔軟な現場の監視が行われる。
【００６５】
シールド２０８は更に、第１の端部位置３１２から第２の端部位置３１４まで開孔３１０が移動中に、伸長された状態３０８へ操作可能である。関連付けされた第１のシールド部３０２と第２のシールド部３０４の相対的な移動により、シールド２０８における隙間の形成が防止され、監視カメラ装置１００を効果的にカバーすることが可能になりうる。コンパクトな設計のシールド２０８が更に得られる。
【００６６】
ばね部材３１６により、第１のシールド部３０２と第２のシールド部３０４との間で相対的な移動が起こり、開孔３１０が移動中にシールド２０８が伸長された状態３０８になる。つまり、開孔３１０が第１の端部位置３１２から第２の端部位置３１４に向かって移動した時に、伸長された状態３０８に達する。上記の移動は、配置構成２００を含む監視カメラ装置１００のカメラヘッド１０６の移動によって、達成されうる。つまり、ばね部材３１６によって引き起こされた第１のシールド部３０２と第２のシールド部３０４との間の相対的な移動により、第２のシールド部３０４が第１のシールド部３０２を越えて延び、監視カメラ装置１００の内部がシールド２０８によってカバーされるということである。監視カメラ装置１００の内部もこれにより効果的にカバーすることができ、監視カメラ装置１００の外側から内側を見ることが妨げられうる。
【００６７】
ばね部材３１６及びこれらの配置構成を、図３ａ及び３ｂの分離拡大図に更に詳細に示す。ばね部材３１６は、この実施形態において筐体２０２上に配置されているが、他の実施形態では、シールド２０８上に配置されうる。
【００６８】
第２のシールド部３０４上に当接部３１７が配置される。当接部３１７は、ばね部材３１６の可動脚部に接して置かれ、これにより第２のシールド部が筐体２０２に対して、ばね部材３１６のばね作用に逆らって移動可能になる。
【００６９】
ばね部材３１６は、開孔３１０の移動中に、第１のシールド部３０２と第２のシールド部３０４との間の相対的な移動を制御するために配置される。第２のシールド部３０４がより小さくなる一方、例えば開口部２０４と２０６それぞれの下方端部２０４ａ及び２０６ａにおけるシールド２０８と筐体２０２との間の隙間の形成が防止されるため、よりコンパクトなシールド２０８が得られる。開孔３１０の移動中の、ばね部材３１６によって制御される第１のシールド部３０２と第２のシールド部３０４との間の相対的な移動により、開孔３１０が第２の端部位置３１４に到達する前にシールド２０８の伸長された状態３０８が確立され、第２の端部位置３１４から第１の端部位置３１２までの移動中に、開孔３１０が第１の端部位置３１２に到達すると、圧縮された状態３０６が確立されうる。これにより、シールド２０８にカバーされていない隙間が形成されるのが防止される。配置構成２００の筐体２０２とシールド２０８が重なり合うことによって、監視カメラ装置１００の内部がカバーが可能になる。
【００７０】
図３ａ及び３ｂをまた参照すると、この実施形態によれば、第１の端部位置３１２と第２の端部位置３１４とによって画定される範囲は、１５〜７５度のカメラヘッドの移動範囲ＭＲ１に対応している。開孔３１０は更に、カメラヘッドの移動範囲に対応する範囲ＭＲ１において可動であり、これにより、範囲ＭＲ１内の任意のカメラヘッド位置において自由な視野が得られる。これは、例えば、配置構成２００を含む監視カメラ装置１００が部屋の天井に配置されている状況において利点となる。この移動範囲により、監視カメラ装置１００によって天井自体が監視されることを防ぐことができる。カメラヘッド１０６の視野はしかしながら、部屋を０〜９０度まで見ることができるほど十分に大きくてよい。
【００７１】
他の実施形態によれば、第１の端部位置３１２と第２の端部位置３１４とによって画定される範囲は、０〜９０度の移動範囲に対応する。監視カメラ装置１００のカメラヘッドは０〜９０度をカバーすることによって、少なくとも９０度の角度空間が監視されうる。
【００７２】
カメラヘッドの視野によってカバーされる角度空間により更に、監視カメラ装置の監視範囲が広がりうることに留意すべきである。一例として、例えば６０°の視野を持つカメラヘッドにより、追加の６０°と共に、第１の端部位置と第２の端部位置によって画定される角度空間の監視が可能になりうる。追加の６０°は、それぞれの端部位置において追加の３０°が可能なカメラヘッドの視野から得たものである。更に、図１及び２に示すように、３つのカメラヘッドを有することによって、監視カメラ装置は例えば、１８０°の水平角度をカバーすることができる。
【００７３】
複数のカメラヘッドの内の他のカメラは追加的に、１５〜７５度、又は代替的に０〜９０度の移動範囲を有しうる。図１に示すように、例えば３つのカメラヘッドを供給することによって、少なくとも全半球空間の監視を実現することができる。カメラヘッドの視野は、分離していてよい、又は重なり合っていてよい。監視カメラ装置によって捕らえた画像又は画像の配列を縫い合わせて、単一の表示画像を形成することができる。
【００７４】
シールド２０８及び筐体の相対的な移動は、筐体２０２に旋回可能に装着されたシールド２０８によって達成されうる。
【００７５】
第１のシールド部３０２と第２のシールド部３０４は更に、第１のシールド部３０２と第２のシールド部３０４との間に旋回可能な接続を提供するジョイント３１８の手段によって互いに移動可能に配置されうる。従って、第１のシールド部３０２と第２のシールド部３０４との間の効果的な相対的移動が実現されうる。
【００７６】
シールド２０８の第１の部３０２及び第２の部３０４はこの実施形態において、シールド２０８の第２の部３０４の対応する開口部フィクスチャ３２２の中へ延びるように配置された第１の部３０２の突出要素３２０を備えるジョイント３１８の手段によって旋回可能に接続される。突出要素３２０と開口部フィクスチャ３２２により、回転スナップ式係合が得られる。
【００７７】
突出要素３２０は更に、開口部フィクスチャ３２２を越えて延びることができ、これにより突出要素３２０が筐体２０２に達することができる。シールド２０８はこれにより、突出要素３２０を介して筐体２０２に旋回可能に装着されうる。これにより、シールド２０８が筐体２０２に対して可動に配置されることが可能になる。
【００７８】
筐体は他の実施形態では、突出要素が備えることができ、シールドは、対応する開口部フィクスチャを備えることができる。当業者は、シールドの第１の部及び第２の部の相対的な移動及び／又は筐体に対するシールドの相対的な移動を実現するために、他の種類の配置構成を使用することができることを悟るだろう。
【００７９】
ジョイント３１８は、第１のシールド部３０２と第２のシールド部３０４との間に、旋回可能な接続の最大旋回角度を画定する旋回停止部３２４を備える。ジョイント３１８を、図３ａ及び３ｂの分離拡大図に示す。旋回停止部３２４は第２のシールド部３０４に配設され、第１のシールド部３０２と第２のシールド部３０４との間の最大相対移動が可能になるように配置される。最大相対移動に達した時に、旋回停止部３２４が第１のシールド部３０２と係合するように配置されることにより、シールド部３０２、３０４の連続した移動が一致した形で起こる。このため、旋回可能な接続により、第１のシールド部３０２が第２のシールド部３０４に対して移動することが可能になるが、これは旋回停止部３２４によって画定され、シールド２０８の伸長された状態３０８に対応する範囲のみである。第１のシールドと第２のシールドとの間の隙間がこれにより防止されうる。
【００８０】
ばねの配置構成３１６は、シールド２０８の移動の際にジョイント３１８と協働するように配置される。第１の端部位置３１２から第２の端部位置３１４までシールド２０８の開孔３１０が移動する時に、第１のシールド部３０２は第２のシールド部３０４に対して移動して、シールド２０８が延びる。シールドが伸長された状態３０８に到達すると、第２のシールド部３０４の移動と一致した第１のシールド部３０２が連続して移動する。第２のシールド部３０４の移動により次に、当接部３１７がばね部材３１６の可動脚部と係合し、ばね部材３１６がバイアスされる。この結果、開孔３１０が第２の端部位置３１４に位置決めされると、ばね部材がバイアスされ、その後第１の端部位置３１２の方向へ開孔３１０が移動中に、ばね部材３１６が最初に第２のシールド部３０４に作用し、第２のシールド部３０４が第１のシールド部３０２と一致して移動する。第１のシールド部３０２と第２のシールド部３０４の一致した移動は、第２のシールド部３０４がシールド２０８の圧縮された状態３０６に対応する位置へ到達するまで継続し、第１のシールド部３０２が続いて移動することにより、シールド２０８がそれ自体の圧縮された状態３０６に達するまで圧縮される。
【００８１】
ジョイント３１８は更に、シールド２０８の圧縮された状態３０６に対応する第１のシールド部３０２と第２のシールド部３０４との間の旋回可能な接続の停止旋回角度を画定する追加の旋回停止部３２５を備え、これにより、シールド２０８の第１の部３０２は、圧縮された状態３０６においてシールド２０８の第２の部３０４を越えて延びない。これにより、シールドの第１の部３０２が配置構成の内部の中まで延びて、監視カメラ装置の内部で構成要素と接触しうることが防止される。
【００８２】
図３ｂを参照すると、この実施形態において、配置構成２００は、停止部３２８が形成されるように、凹部３２６を備える第１のシールド部３０２を有する。この実施形態において、凹部３２６は、凹部３２６と第２のシールド部が組み合わさった厚さが第１のシールド部３０２の厚さと実質的に同じになるような厚さを有し、すなわちここで第１のシールド部３０２は凹部３２６を備えていない。ステップ３２８は従って、シールド２０８の圧縮された状態３０６において第１のシールド部３０２と第２のシールド部３０４との間の旋回可能な接続の追加の停止角度を提供する。実質的に均一の厚さを有する表面は従って、第１のシールド部３０２と第２のシールド部３０４が圧縮された状態３０６で重なり合うように提供される（図３ａ参照）。これにより、圧縮された状態３０６において、シールド２０８のより均一な外面３２９が実現される。圧縮された状態３０６において追加の旋回停止部３２５に作用する力がステップ３２８によって、更に低減される。
【００８３】
第２のシールド部３０４は、図３ｂに示すように切抜き部３３０を有する。切抜き部３３０により、圧縮された状態３０６にあるシールド２０８が、連続した外側エンベロープ面３３１を形成しうる（図３ａ参照）。切抜き部３３０と、シールド２０８の第１のシールド部３０２の開孔３１０により、共通の開孔も画定される。第１のシールド部３０２と第２のシールド部３０４との間の重なり合いがこれにより更に大きくなり、シールド２０８は圧縮された状態３０６にさらにコンパクトになりうる。
【００８４】
当業者は、本発明は決して、上述した好ましい実施形態に限定されないことを知るだろう。逆に、添付の特許請求項の範囲内で多くの修正例及び変形例が可能である。
【００８５】
例えば、カメラヘッドをパン又はチルト移動において移動させることができる。
【００８６】
第１のシールド部３０２を、第２のシールド部３０４の外側で移動するように配置することができる。
【００８７】
筐体２０２とシールド２０８は透明であってよいが、これにより視線遮断効果が低下する。
【００８８】
カメラヘッドの移動範囲は、０〜１８０度であってよい。これにより、監視カメラ装置によって全半球空間よりも大きい空間を監視することができる。
【００８９】
開孔及び／又は開口部を例えば、楕円形、長方形、又は五角形等に成形することができ、各カメラヘッドの外側形状に適合させることができる。
【００９０】
開口部２０４及び関連付けされた開孔３１０のみを図３ａと３ｂに関連して説明してきたが、図１に示す他の２つのカメラヘッドの開口部の機能は同じである。
【００９１】
しかしながら、他の実施形態において、配置構成は３を超えるカメラヘッドを含むことができ、各カメラヘッドは、関連付けされた移動範囲内で可動であり、筐体は更に、複数のカメラヘッドの各々の開口部を含み、これにより、各カメラヘッドの移動範囲内で関連付けされたカメラヘッドの任意のカメラヘッド位置各々において自由な視線が得られ、シールドの第１のシールド部は複数の開孔を備え、各開孔は、関連付けされたカメラヘッドの任意のカメラヘッド位置各々において自由な視線に合わせて位置調整可能である。
【００９２】
他の実施形態によれば、配置構成は一つのカメラヘッドを含みうる。
【００９３】
カメラヘッドはいかなる種類のカメラヘッド、例えば、可視光、ＩＲカメラヘッド、又は温度カメラヘッドを用いたカメラヘッドであってもよい。
【００９４】
加えて、図面、記載内容、及び添付の特許請求項を精査することにより、特許請求される本発明を実施することにおいて、開示された実施形態の変形例を、当業者にが理解し実行することが可能である。請求項において、「含む」という語は他の要素又はステップを除外するものではなく、「１つの（ａ）」又は「１つの（ａｎ）」などの不定詞は複数を除外しない。ある特定の手段が互いに異なる独立請求項において記されるという事実は、これらの手段の組み合わせが使用され得ないとういことを示すものではない。
【図１】
2016082585.tif 000003
【図２】
2016082585.tif 000004
【図３ａ】
2016082585.tif 000005
【図３ｂ】
2016082585.tif 000006
【外国語明細書】
2016082585000001.pdf
2016082585000002.pdf
2016082585000003.pdf
2016082585000004.pdf